(57)【特許請求の範囲】
【請求項１】
（イ）給水配管に接続されるねじ部を基端に備え、便器の後方の壁からトイレ室内に突き出す状態に該壁に取り付けられる水栓本体と、（ロ）該水栓本体の側面から該壁の内面に沿って延びる延出部及び該延出部より屈曲して突き出す屈曲部を備えた吐水管と、（ハ）該水栓本体より水平方向に離れた位置において該壁に取り付けられ、該吐水管の前記延出部を回転可能に支持する支持装置とを有し、該吐水管は前記水栓本体に対する回転運動によって前記屈曲部が前記壁より前方に突き出した状態となって、先端の吐水口を便器内部に向けて位置させる使用位置と、該屈曲部を上方に起立させた非使用位置との間で動作するものとされた水栓器具であって、
前記支持装置は、前記吐水管を互いに反対側から挟み付ける一対の挟持部材を備えていてそれらの該支持装置の本体部への固定位置が前後方向の長孔に沿って調節可能とされており、該吐水管に対する支持位置を少なくとも前記ねじ部におけるねじの１ピッチ分だけ前後方向に調節する、該長孔を含む位置調節機構が該支持装置に備えられていることを特徴とする水栓器具。
【請求項２】
（イ）給水配管に接続されるねじ部を基端に備え、便器の後方の壁からトイレ室内に突き出す状態に該壁に取り付けられる水栓本体と、（ロ）該水栓本体の側面から該壁の内面に沿って延びる延出部及び該延出部より屈曲して突き出す屈曲部を備えた吐水管と、（ハ）該水栓本体より水平方向に離れた位置において該壁に取り付けられ、該吐水管の前記延出部を回転可能に支持する支持装置とを有し、該吐水管は前記水栓本体に対する回転運動によって前記屈曲部が前記壁より前方に突き出した状態となって、先端の吐水口を便器内部に向けて位置させる使用位置と、該屈曲部を上方に起立させた非使用位置との間で動作するものとされた水栓器具であって、
前記支持装置は、前記吐水管の延出部を保持する本体部と、該本体部を前後方向に出入り可能に保持する保持体と、該本体部を該保持体に所定の前後調節位置で固定する固定部材とを含んでおり、該保持体及び固定部材にて、前記吐水管に対する支持位置を少なくとも前記ねじ部におけるねじの１ピッチ分だけ前後方向に調節する位置調節機構が構成されていることを特徴とする水栓器具。
【発明の詳細な説明】
【０００１】
【発明の属する技術分野】
この発明は水栓器具に関し、詳しくは便器の上方に設置されて便器に向けて吐水を行い、便器洗い或いは便器内部で汚物洗いを行うことのできる水栓器具に関する。
【０００２】
【発明の背景】
便器の上方において便器後方の壁に取り付けられ、使用時には吐水管を前方に突き出させて下向きの吐水口から便器内部に吐水を行い、便器洗いや便器内でのしびん等汚物洗浄を行い、また非使用時には吐水管を回転させて先端部を上向きに起立状態とする形態の水栓器具が本出願人によって提案されている。
【０００３】
図８はその一例を示している（特願平９−９４５５号）。
図８において、２００はトイレ室に設置された便器（洋風便器）で、２０２は便器本体、２０４は便座である。
２０６は便器２００の後部に設けられたケースで、天板２０８と便器２００の取付壁となる前板２１０を有しており、内部に配管その他の機構部が収容されている。
【０００４】
２１２は便器洗い及び便器２００内部でしびん等の汚物を洗浄するための水栓器具で、前板２１０から室内側に突き出した状態に取り付けられた水栓本体２１４を有している。
この水栓本体２１４の前部には吐水口ハンドル２１６が回転可能に設けられている。
【０００５】
２１８は水栓器具２１２における吐水管で、水栓本体２１４の側面から前板２１０に沿って、即ち便器２００の後方の壁に沿って水平に延び出した延出部２２０と、延出部２２０から屈曲して突き出す屈曲部２２２とを有しており、その屈曲部２２２の先端に吐水口２２４を備えている。
この吐水管２１８は、水栓本体２１４に対してその全体が延出部２２０の軸心周りに回転可能とされている。
【０００６】
この水栓器具２１２においては、吐水管２１８が水栓本体２１４から大きく延び出していることから、その吐水管２１８を回転可能に支持するための支持装置２２６を備えており、その支持装置２２６が前板２１０に固定状態に取り付けられている。
この水栓器具２１２の場合、使用位置と非使用位置との間で吐水管２１８が回転可能とされている。
【０００７】
即ち、図９にも示しているように使用時には屈曲部２２２を前板２１０から前方に突き出した状態とすることができ、この状態において吐水口ハンドル２１６を開操作すると、先端の吐水口２２４から便器２００内部に向けて吐水が行われる。
これによって便器洗いを行うことができ、或いは便器内部においてしびん等の汚物を洗浄することができる。
【０００８】
一方、非使用時には吐水管２１８を図９（Ｂ）中左向きに回転操作して吐水管２１８の屈曲部２２２を起立状態とし、吐水口２２４を前板２１０に近い位置に退避させておくことができる。
【０００９】
図１０は上記支持装置２２６の前板２１０への取付け及び吐水管２１８の支持構造を具体的に示している。
同図に示しているように支持装置２２６は、その後端面が前板２１０に当接した状態で、前板２１０の裏側から支持装置２２６の本体部２２８の雌ねじ孔２３０にねじ込まれたボルトにより前板２１０に固定状態に取り付けられている。
【００１０】
２３２及び２３４は吐水管２１８の延出部２２０を上下両側から挟持する挟持部材であって、それぞれ下向き及び上向きの円弧形状及び略半円形状の凹所２３６，２３８を有しており、それら凹所２３６，２３８内に延出部２２０を嵌入させるようになっている。
ここで一対の挟持部材２３２及び２３４は、樹脂製の部材とされている。
【００１１】
上記本体部２２８には、上側の挟持部材２３２に対応した平面形状の凹陥部２４０が形成されており、上側の挟持部材２３２はこの凹陥部２４０内部に水平方向に位置不動に嵌込装着されている。
【００１２】
また一方、下側の挟持部材２３４は本体部２２８に形成された、対応する平面形状の凹陥部２４２内部に嵌め入れられた上、その挟持部材２３４の固定孔２４４を挿通して本体部２２８の雌ねじ孔２４６内にねじ込まれたボルト２４８により、本体部２２８に位置不動に固定されている。
尚、本体部２２８には吐水管２１８の延出部２２０の上部を嵌め入れるための円形の凹所２５０が形成されている。
【００１３】
一方上記水栓本体２１４は、図９に示しているように水栓本体２１４と固定ナット２５２とにより前板２１０を内外両側から挟み付ける状態で、前板２１０に取り付けられている。
【００１４】
具体的には、水栓本体２１４の後端面からはこれと一体の雄ねじ管ないしその雄ねじ管に対し接続された別体の雄ねじ管２５４が後向きに突き出していて、前板２１０の裏側でその雄ねじ管２５４に対し固定ナット２５２が螺合され、その固定ナット２５２と水栓本体２１４の後面とにより前板２１０を挟み付ける状態で、水栓本体２１４が前板２１０に固定されている。
尚雄ねじ管２５４には、前板２１０の裏側、つまりケース２０６の内部において図示を省略する給水配管が接続されている。
【００１５】
【発明が解決しようとする課題】
ところでこの水栓器具２１２の場合、図９に示しているように前板２１０を取付壁としてこれに取り付ける場合には支障なく取付けを行うことができるものの、便器後方の壁が湿式施工によるタイル壁であったり或いはコンクリート壁であったりした場合、水栓器具２１２をこれに適正に取り付けることが難しいといった問題を内包している。
【００１６】
詳しくは、図１１に示しているようにタイル壁或いはコンクリート壁等の壁Ｗに水栓器具２１２を取り付けるに際しては、水栓本体２１４の雄ねじ管２５４を、壁Ｗに埋設した給水配管の端部２５６に対してねじ接続することとなるが、この例の水栓器具２１２の場合吐水管２１８の回転位置、詳しくは延出部２２０の水栓本体２１４周りの回転位置が定まっているため、水栓本体２１４の壁Ｗからの突出し寸法が、最大で雄ねじ管２５４のねじの１ピッチ分大きく突き出した状態となる場合がある。
【００１７】
一方で支持装置２２６による延出部２２０の支持位置、詳しくは壁Ｗと延出部２２０の支持位置との間の間隔は定まっており、このため延出部２２０が若干傾いた状態となって、支持装置２２６における挟持部材２３２と２３４の円弧形状及び略半円形状の凹所２３６，２３８と延出部２２０とが良好に嵌合せず、それら挟持部材２３２，２３４により延出部２２０を挟み付ける状態でこれを支持したとき、吐水管２１８全体に無理な力がかかってしまい、また同時に水栓器具２１２が適正な姿勢で壁Ｗに取り付かなくなってしまうといった不都合を生じるのである。
【００１８】
【課題を解決するための手段】
本発明の水栓器具はこのような課題を解決するために案出されたものである。
而して請求項１のものは、（イ）給水配管に接続されるねじ部を基端に備え、便器の後方の壁からトイレ室内に突き出す状態に該壁に取り付けられる水栓本体と、（ロ）該水栓本体の側面から該壁の内面に沿って延びる延出部及び該延出部より屈曲して突き出す屈曲部を備えた吐水管と、（ハ）該水栓本体より水平方向に離れた位置において該壁に取り付けられ、該吐水管の前記延出部を回転可能に支持する支持装置とを有し、該吐水管は前記水栓本体に対する回転運動によって前記屈曲部が前記壁より前方に突き出した状態となって、先端の吐水口を便器内部に向けて位置させる使用位置と、該屈曲部を上方に起立させた非使用位置との間で動作するものとされた水栓器具であって、前記支持装置は、前記吐水管を互いに反対側から挟み付ける一対の挟持部材を備えていてそれらの該支持装置の本体部への固定位置が前後方向の長孔に沿って調節可能とされており、該吐水管に対する支持位置を少なくとも前記ねじ部におけるねじの１ピッチ分だけ前後方向に調節する、該長孔を含む位置調節機構が該支持装置に備えられていることを特徴とする。
【００１９】
請求項２のものは、（イ）給水配管に接続されるねじ部を基端に備え、便器の後方の壁からトイレ室内に突き出す状態に該壁に取り付けられる水栓本体と、（ロ）該水栓本体の側面から該壁の内面に沿って延びる延出部及び該延出部より屈曲して突き出す屈曲部を備えた吐水管と、（ハ）該水栓本体より水平方向に離れた位置において該壁に取り付けられ、該吐水管の前記延出部を回転可能に支持する支持装置とを有し、該吐水管は前記水栓本体に対する回転運動によって前記屈曲部が前記壁より前方に突き出した状態となって、先端の吐水口を便器内部に向けて位置させる使用位置と、該屈曲部を上方に起立させた非使用位置との間で動作するものとされた水栓器具であって、前記支持装置は、前記吐水管の延出部を保持する本体部と、該本体部を前後方向に出入り可能に保持する保持体と、該本体部を該保持体に所定の前後調節位置で固定する固定部材とを含んでおり、該保持体及び固定部材にて、前記吐水管に対する支持位置を少なくとも前記ねじ部におけるねじの１ピッチ分だけ前後方向に調節する位置調節機構が構成されていることを特徴とする。
【００２０】
【作用及び発明の効果】
上記のように請求項１に記載のものは、吐水管に対する支持位置を少なくともねじの１ピッチ分だけ、詳しくは水栓本体の基端に備えられたねじ部のねじの１ピッチ分だけ前後方向に調節する位置調節機構を支持装置に備えたもので、この水栓器具の場合、水栓本体のねじ部を壁側の給水配管にねじ接続した状態でこれを便器後方の壁に取り付けるに際し、その壁がパネルから成っている場合であっても、或いは湿式施工のタイル壁或いはコンクリート壁等であっても、吐水管の水栓本体周りの回転位置を予め設定した位置に位置させつつ、適正に水栓器具を便器後方の壁に取り付けることができる。
【００２１】
この請求項１に記載のものはまた、上記支持装置に、吐水管を互いに反対側から挟み付ける一対の挟持部材を具備させ、そしてそれら挟持部材の本体部への固定位置を、前後方向の長孔に沿って調節可能となしており、このようにすれば簡単に吐水管の支持位置を調節するための位置調節機構を構成することができる。
またその調整操作も簡単に行うことができる。
【００２２】
請求項２に記載のものは、上記支持装置を本体部とその本体部を前後方向に出入り可能に保持する保持体と、本体部を保持体に固定する固定部材とを含むように構成したもので、この場合においても保持体に対する本体部の出入り調整によって、支持装置による吐水管の支持位置を調整することができる。
またこの請求項２の水栓器具においても位置調節機構を簡単に構成することができ、またその調整操作も容易に行うことができる。
【００２３】
【実施例】
次に本発明の実施例を図面に基づいて詳しく説明する。
図１において、１０はトイレ室に設置された便器（洋風便器）で、１２は便器本体、１４は便座である。
１６は便器１０の後方の壁であり（この例では壁１６は湿式施工のタイル壁或いはコンクリート壁）、１８は便器洗い及び便器１０内部でしびん等の汚物を洗浄することのできる水栓器具で、壁１６から室内側に突き出した状態に取り付けられた水栓本体２０を有している。
【００２４】
水栓本体２０の基端には、図２に示すように雄ねじ管２２が後ろ向き（図２（Ａ）中左向き）に突き出す形態で水栓本体２０と一体に形成されており、この雄ねじ管２２が壁１６に埋設された給水配管の端部２４にねじ接続されることで、水栓本体２０が壁１６に取り付けられている。
【００２５】
この水栓本体２０の前部には、吐水口ハンドル２６が回転可能に設けられている。
２８は水栓器具１８における吐水管で、水栓本体２０の側面から便器１０の後方の壁１６に沿って水平に延び出した延出部３０と、延出部３０から屈曲して突き出した屈曲部３２とを有しており、その屈曲部３２の先端に吐水口３４を備えている。
この吐水管２８は、水栓本体２０に対してその全体が延出部３０の軸心周りに回転可能とされている。
【００２６】
３６は吐水管２８を回転可能に支持するための支持装置で、水栓本体２０から水平方向に所定距離離れた位置において壁１６に固定状態に取り付けられている。
【００２７】
この水栓器具１８の場合、使用位置と非使用位置との間で吐水管２８が回転可能とされている。
即ち、図１（Ｂ）にも示しているように使用時には屈曲部３２を壁１６から前方に突き出した状態とすることができ、この状態において吐水口ハンドル２６を開操作すると、先端の吐水口３４から便器１０内部に向けて吐水が行われる。
これによって便器洗いを行うことができ、或いは便器１０内部においてしびん等の汚物を洗浄することができる。
【００２８】
一方、非使用時には同図（Ａ）に示すように吐水管２８を回転操作して屈曲部３２を上方に起立した状態とし、吐水口３４を壁１６に近い位置に退避させておくことができる。
【００２９】
図４、図５及び図６は本例の支持装置３６の壁１６への取付け及び吐水管２８の支持構造を具体的に示している。
図４に示しているように、支持装置３６はその本体部３８の後端に取付孔４０を有するフランジ部４２が設けられており、その後端面を壁１６に当接させた状態で固定具４４により壁１６に取付固定されている。
【００３０】
４６及び４８は、吐水管２８における延出部３０を上下両側から挟持する一対の挟持部材である。
上側の挟持部材４６は、その下面が図４（Ａ）に示すように断面円弧形状の凹所５０とされている。この凹所５０は、延出部３０の軸方向に真直ぐ延びるとともに延出部３０の軸直角方向の断面形状に対応した断面形状とされている。
また挟持部材４６は、その平面視形状が円形状とされている（図６参照）。
【００３１】
一方下側の挟持部材４８は、その上面が平坦面形状とされており、その上面の前後方向（図４中左右方向）略中央位置に、延出部３０の軸方向に延び且つ断面形状が略半円形状の凹所５２が形成されている。
この挟持部材４８には、これを本体部３８に取付固定するための長孔５４が設けられている。この長孔５４は、挟持部材４８を上下方向に貫通するとともに、その長手方向が本体部３８の前後方向に延びる向きに設けられている。
【００３２】
これら挟持部材４６，４８は、それぞれの凹所５０，５２内に延出部３０を嵌入させ、延出部３０を上下から挟み付けることで延出部３０、即ち吐水管２８を保持する。
尚、本例においては一対の挟持部材４６及び４８は樹脂製の部材とされている。
【００３３】
上記本体部３８には、上側の挟持部材４６を嵌込装着させる凹陥部５６が形成されている。この凹陥部５６は、平面視形状が本体部３８の前後方向に延びる長孔形状とされ、長手方向両端部形状は挟持部材４６の平面形状に対応した半円形状とされている（図６参照）。
上側の挟持部材４６は、この凹陥部５６内部において延出部３０の軸方向には位置不動に、本体部３８の前後方向には位置移動可能に嵌込装着されている。
【００３４】
一方下側の挟持部材４８は、本体部３８に形成された、対応する平面形状の凹陥部５８内部に嵌め入れられている。この挟持部材４８は、下側から挟持部材４８の長孔５４を挿通し、本体部３８の雌ねじ孔６０内にねじ込まれたボルト６２にて、本体部３８に固定されている。
ここで本体部３８の凹陥部５８は、その前後方向の長さが挟持部材４８の前後方向の長さよりも所定寸法だけ長くされており、このことにより本体部３８の凹陥部５８及び挟持部材４８の長孔５４によって、下側の挟持部材４８もまた、本体部３８の前後方向に位置移動可能とされている。
【００３５】
尚、本体部３８には吐水管２８における延出部３０の上部を嵌め入れるための円形の凹所６４が形成されている。この凹所６４の半径は、挟持部材４６，４８に挟持された延出部３０が前後方向に位置移動する際に、その延出部３０の外周面が凹所６４の内面に当接しない程度の大きさとされている。
【００３６】
本例の支持装置３６においては、本体部３８の凹陥部５６，５８、凹所６４及び挟持部材４８の長孔５４によって位置調節機構が構成されており、吐水管２８に対しその支持位置を少なくとも水栓本体２０における雄ねじ管２２のねじの１ピッチ（Ｐ）分だけ前後方向に位置調節可能とされている。
【００３７】
因みに本例においてはねじの１ピッチ（Ｐ）がおよそ１．８ｍｍとされているが、この数値に限定されるものではない。
尚、図４中６６はボルト６２の頭部を挟持部材４８内部に収納するための座ぐり凹部である。
【００３８】
次に本例の支持装置３６の作用を説明する。
本例の水栓器具１８においては、吐水管２８の回転位置、詳しくは延出部３０の水栓本体２０周りの回転位置を設定位置に定めつつ水栓本体２０の雄ねじ管２２を壁１６に埋設した給水配管の端部２４に対してねじ接続したとき、図３に示すように水栓本体２０の壁１６からの突出し寸法が、最大で雄ねじ管２２のねじの１ピッチ（Ｐ）分だけ大きく突き出した状態となる場合がある。
【００３９】
この場合には、吐水管２８の延出部３０を挟持している一対の挟持部材４６，４８を支持装置３６の本体部３８に対し前後方向に位置調節することで、水栓器具１８を適正に便器１０後方の壁１６に取り付けることができる。
【００４０】
このように本例の水栓器具１８の場合、便器１０後方の壁１６が乾式のパネルから成っている場合であっても、或いは湿式施工のタイル壁或いはコンクリート壁等であっても、吐水管２８の水栓本体２０周りの回転位置を予め設定した位置に位置させつつ、適正に水栓器具１８を便器１０後方の壁１６に取り付けることができる。
【００４１】
次に図７は、本発明の水栓器具における支持装置の他の形態例を示した図である。
この例の支持装置６８は、本体部７０とは別体となす保持体７２を有しており、この保持体７２の後端が壁１６に固定されている。
保持体７２には前部側に円筒形状の嵌入穴７６が設けられており、この嵌入穴７６の内部に本体部７０の後端部が、前後方向に出入り可能に嵌入されている。
【００４２】
この保持体７２には雌ねじ孔７８が設けられていてその雌ねじ孔７８に下側から上向きに固定部材としてのボルト８０がねじ込まれており、ボルト８０の先端が本体部７０に設けられた凹部８２の平坦な当接面に当接させられている。これによって本体部７０が保持体７２に対して回転不能且つ所定の前後調節位置において固定可能とされている。
ここで本例の支持装置６８は、保持体７２と固定部材としてのボルト８０とによって位置調節機構が構成されている。
【００４３】
尚この例の支持装置６８においても、吐水管２８の延出部３０が樹脂製の一対の挟持部材４６と４８とにより挟持された状態で本体部７０に固定されている。
但しこの例では上記実施例と異なって上側の挟持部材４６は本体部７０に対して前後方向に位置固定とされ、また下側の挟持部材４８も本体部７０に対して前後方向に位置固定とされている。
具体的には、下側の挟持部材４８を本体部７０に固定するためのボルト６２の固定孔８４がボルト６２に対応した大きさの円形の孔とされている。
【００４４】
本例の支持装置６８においては、ボルト８０を緩めた上で保持体７２に対する本体部７０の出入りを調整した上、ボルト８０を再び締め込むことで、吐水管２８における延出部３０の支持位置を前後に調節することができる。
【００４５】
以上本発明の実施例を詳述したがこれはあくまで一例示であり、本発明はその主旨を逸脱しない範囲において種々変更を加えた態様で実施可能である。
【図面の簡単な説明】
【図１】本発明の一実施例である水栓器具をトイレ室への取付状態で便器とともに示す図である。
【図２】図１の水栓器具を壁への取付構造とともに示す図である。
【図３】図１の水栓器具における水栓本体の壁への取付状態を説明する説明図である。
【図４】図１の水栓器具における支持装置を示す図である。
【図５】図４の支持装置の分解図である。
【図６】図４の支持装置の分解斜視図である。
【図７】図４とは別の支持装置を示す図である。
【図８】本出願人の提案に係る水栓器具をトイレ室への取付状態で便器とともに示す図である。
【図９】図８の水栓器具の拡大図である。
【図１０】図８の水栓器具の支持装置を示す図である。
【図１１】同水栓器具の不具合の説明図である。
【符号の説明】
１０  便器
１６  壁
１８  水栓器具
２０  水栓本体
２８  吐水管
３０  延出部
３２  屈曲部
３４  吐水口
３６，６８  支持装置
３８，７０  本体部
４６，４８  挟持部材
５４  長孔
５６，５８  凹陥部
６４  凹所
７２  保持体
８０  ボルト（固定部材）
【図１】
0003549091.tif 000002
【図２】
0003549091.tif 000003
【図３】
0003549091.tif 000004
【図４】
0003549091.tif 000005
【図５】
0003549091.tif 000006
【図６】
0003549091.tif 000007
【図７】
0003549091.tif 000008
【図８】
0003549091.tif 000009
【図９】
0003549091.tif 000010
【図１０】
0003549091.tif 000011
【図１１】
0003549091.tif 000012